(57)【要約】【課題】小型車両が入り込めない場所であっても、簡単な器具のみで電柱等の柱状物を切断撤去できる方法及び装置を提供する。【解決手段】本発明の柱状物撤去装置１０は、柱状物（電柱）１１に取り付けられる上下のベースフレーム１５及び回転フレーム１６と、これらのフレーム１５及び１６どうしの間に配設される固定ディスク１２及び可動ディスク１３と、両ディスク１２及び１３の間に配設された制動力調整機構２５とで構成されている。従って、装置全体は極めて軽量且つ小型であって、シンプルである。またこれらの部品をバラバラにした状態で現場へ搬入し、現場で迅速に組み立てることも可能であり、作業性及び利便性に優れている。従って、小型車両が入り込めない場所であっても、柱状物１１を倒し込む幅のスペースさえあれば、柱状物１１の撤去作業を行うことが可能であり、作業員の負担も大幅に軽減することが可能である。【選択図】  図１
2006063730.tif 000002
【特許請求の範囲】
【請求項１】
柱状物の根元部寄りにバンド部材等により取り付けられるベースフレームと、該ベースフレームの外側面に取り付けられた固定ディスク及び可動ディスクと、可動ディスクに基部側が取り付けられて固定され、先端側が柱状物にバンド部材等により取り付けられる回転フレームとより成り、前記固定ディスクと可動ディスクとの間には制動力調整機構が配設されていることを特徴とする柱状物の撤去装置。
【請求項２】
柱状物の頂部寄りにロープ等の引っ張り具を係止すると共に、前記請求項１に記載の撤去装置のベースフレームと、回転フレームとをバンド部材を介して柱状物へ取り付け、制動力調整機構の制動力を調整した後、ベースフレームと回転フレームとの間で柱状物を切断し、引っ張り具を引っ張っることにより可動ディスクを固定ディスクに対して回転させ、可動ディスクに取り付けられた回転フレームに抱き抱えられた柱状物の切断箇所から上方の本体部分を次第に傾倒させて地上へ載置し、撤去装置を取り外して柱状物を撤去するようにしたことを特徴とする柱状物の撤去方法。
【請求項３】
前記請求項１に記載の撤去装置を二つ準備して柱状物に対向配置させて取り付けるようにした請求項２に記載の柱状物の撤去方法。
【発明の詳細な説明】
【技術分野】
【０００１】
本発明は、電柱、立木、鯉のぼりの支柱、銅像のような柱状物を、クレーン車や大型トレーラー等の大型の設備機器を使用することなく、簡易な器具を用いるだけで簡単且つ迅速に撤去することのできる方法及び装置に関するものである。
【背景技術】
【０００２】
例えば、古くなった電柱を撤去して新しい電柱を設置する場合において、当該場所へクレーン車や大型トレーラー等の大型の設備機器を搬入できないときがある。このような場合、通常は、図７の図（Ａ）〜図（Ｆ）に示すように、電柱１の頂部側から所定寸法ずつ切断して撤去するようにしていた。すなわち、先ず同図の図（Ａ）に示すように、電柱１の頂部から所定寸法下がった位置に滑車２を備えた吊下げ具３を取り付けると共に、前記滑車２に引っかけたロープ４の先端を電柱１の頂部に係止し、梯子５に昇った作業員が電柱１を頂部から所定寸法下がった位置で切断している。そして、同図の図（Ｂ）に示すように、電柱１の切除部６を吊下げた状態からロープ４を緩めて地上へ降ろしている。同様にして、同図の図（Ｃ）及び図（Ｄ）に示すように、以上の作業を繰り返し、順次切除部６を地上へ降ろすことで電柱１の高さを低くしている。最後に、図（Ｅ）に示すように、地上からの作業が可能となった段階で電柱１の根元部を切断し、同図の図（Ｆ）に示すように、残った電柱１を引き倒して撤去している。
【０００３】
ところが、このような電柱１の撤去作業であると、電柱１の高い部位に吊下げ具３を設置して電柱１の途中を切断する必要があること等の高所での作業時間が長く、危険度が高いという欠点があった。また同様の高所作業を数回行う必要があること等により、全体としての作業時間が長くなるという欠点があった。
【０００４】
そのため、従来にあっては、特許文献１に示すように、大型のクレーン車や大型トレーラーは入り込めないが、小型車両が入り込める場所に限って、電柱をクランプできる車両を搬入し、電柱の上部側をクランプした状態で根元部から所定寸法ずつ切断除去することで電柱の撤去を行うようにしている。
【０００５】
また従来にあっては、特許文献２に示すように、古い電柱の中間部を三脚状に支持するサポート具と、古い電柱の上部側を支持する突張具とで、古い電柱を支持し、その状態で古い電柱の地上面に近い根元部を切断し、これらの全体を横方向へスライドさせている。そして、古い電柱の中間部にチエーンブロックを取り付け、古い電柱の地中部を前記チエーンブロックを利用して引き抜いている。続いて、古い電柱の地中部を引き抜いた孔に、新しい電柱を立設し、新しい電柱の頂部に設置した滑車を利用して古い電柱を吊下げ、徐々に地上まで倒し込んで撤去するようにしている。
【特許文献１】特開平６−５８０２０号公報
【特許文献２】特開平１１−２８５１２２号公報
【発明の開示】
【発明が解決しようとする課題】
【０００６】
ところが、前記特許文献１に示す従来技術にあっては、小型車両が入り込める場所でなければならず、小型車両が入り込めない場合では適用できないという欠点があった。また電柱を立設した状態で電柱の頂部側をクランプ保持し、電柱の下部側から徐々に所定寸法ずつ切断除去するので、不安定なクランプ状態の時間が長く、車両自体にアウトリガー等の安全設備も必要であった。
【０００７】
特許文献２に示す従来技術にあっては、三脚状のサポート具及び突張具のみで古い電柱を支持しており、古い電柱の根元部を切断した後、全体を横方向へ移動させねばならず、危険度の高いものであった。また古い電柱の地中部を引き抜いた孔へ新しい電柱を立設し、新しい電柱の頂部に設けた滑車で古い電柱の頂部を吊下げて古い電柱を徐々に倒し込むようにしており、新しい電柱を古い電柱の地中孔を利用して立設することが必須であり、新しい電柱を立設することなく、古い電柱をそのまま撤去するだけの場合には適用できないという欠点があった。
【０００８】
本発明は従来の前記課題に鑑みてこれを改良除去したものであって、小型車両が入り込めない場所であっても、簡単な器具のみで電柱等の柱状物を切断撤去できる方法及び装置を提供せんとするものである。
【課題を解決するための手段】
【０００９】
而して、前記課題を解決するために本発明が採用した請求項１の手段は、柱状物の根元部寄りにバンド部材等により取り付けられるベースフレームと、該ベースフレームの外側面に取り付けられた固定ディスク及び可動ディスクと、可動ディスクに基部側が取り付けられて固定され、先端側が柱状物にバンド部材等により取り付けられる回転フレームとより成り、前記固定ディスクと可動ディスクとの間には制動力調整機構が配設されていることを特徴とする柱状物の撤去装置である。
【００１０】
また本発明が採用した請求項２の手段は、柱状物の頂部寄りにロープ等の引っ張り具を係止すると共に、前記請求項１に記載の撤去装置のベースフレームと、回転フレームとをバンド部材を介して柱状物へ取り付け、制動力調整機構の制動力を調整した後、ベースフレームと回転フレームとの間で柱状物を切断し、引っ張り具を引っ張っることにより可動ディスクを固定ディスクに対して回転させ、可動ディスクに取り付けられた回転フレームに抱き抱えられた柱状物の切断箇所から上方の本体部分を次第に傾倒させて地上へ載置し、撤去装置を取り外して柱状物を撤去するようにしたことを特徴とする柱状物の撤去方法である。
【００１１】
更に、本発明が採用した請求項３の手段は、前記請求項１に記載の撤去装置を二つ準備して柱状物に対向配置させて取り付けるようにした請求項２に記載の柱状物の撤去方法である。
【発明の効果】
【００１２】
請求項１の発明の装置にあっては、柱状物に取り付けられる上下の器具と、これらの器具どうしの間に配設される固定ディスク及び可動ディスクと、両ディスクの間に配設された制動力調整機構とで構成されており、装置全体は極めて軽量且つ小型であって、シンプルである。またこれらの部品をバラバラにした状態で現場へ搬入し、現場で迅速に組み立てることも可能であり、作業性及び利便性に優れている。従って、小型車両が入り込めない場所であっても、柱状物を倒し込む幅のスペースさえあれば、柱状物の撤去作業を行うことが可能であり、作業員の負担も大幅に軽減することが可能である。
【００１３】
請求項２の発明は、前記請求項１の発明の装置を用いた柱状物の撤去方法であって、回転フレームとベースフレームとを柱状物へ取り付けた後、回転フレームとベースフレームとの間の柱状物を切断し、柱状物の頂部に係止したロープ等の引っ張り具を引くことで引く力に応じて制動力調整機構が対応し、切断した柱状物本体を徐々に傾倒させることができる。従って、切断した柱状物本体を引く力に応じてゆっくり地上へ倒伏させることができる。然る後は、地上で柱状物本体を必要に応じた任意寸法に切断し、搬出すればよい。
【００１４】
請求項３の発明は、前記請求項１に記載の撤去装置を二つ準備して柱状物に対向配置させて取り付けるようにした柱状物の撤去方法であって、重たい柱状物や長尺の柱状物に対応できるようにしたものである。これにより、重たい柱状物や長尺の柱状物であっても、無理なく撤去でき、それぞれの撤去装置の負担を軽減させることが可能である。
【発明を実施するための最良の形態】
【００１５】
以下に、本発明の構成を図面に示す発明の実施の形態に基づいて説明すると次の通りである。図１乃至図６は本発明の一実施の形態に係るものであり、図１は柱状物の撤去装置１０を電柱１１へ取り付けた状態を示す左側面図、図２は電柱１１を直角に傾倒させた場合を分解して示す平面図である。図３の図（Ａ）は固定ディスク１２の正面図及びこれに対応する平面図であり、図（Ｂ）は可動ディスク１３の正面図及びこれに対応する平面図である。図４の図（Ａ）〜図（Ｄ）はそれぞれ可動ディスクが所定角度だけ回転した場合の両ディスクの位置関係を示す正面図及びこれに対応する平面図である。図５は実線で示す状態から電柱１１を傾倒させた場合を示す正面図であり、図６の図（Ａ）〜図（Ｃ）は作業工程を示す正面図である。
【００１６】
図１及び図２に示す如く、この柱状物の撤去装置１０は、電柱１１の根元部寄りにバンド部材１４等により取り付けられるベースフレーム１５と、該ベースフレーム１５と一部が重複配置され、同様に電柱１１にバンド部材１４等により取り付けられる回転フレーム１６とを有している。
【００１７】
ベースフレーム１５は、四角柱状の本体１５Ａと、本体１５Ａの外側面（図１の右側）に溶接などにより取り付けられた八角形状の取付プレート１５Ｂとから成り、本体１５Ａ及び取付プレート１５Ｂを貫通して回転軸１７が取り付けられている。また取付プレート１５Ｂの外側面には、埋め込みボルト（図示せず）等により図３の図（Ａ）に示す固定ディスク１２が固定されている。固定ディスク１２は、その中心に回転軸１７の挿通孔１８が設けられており、摺動面には摺動摩擦抵抗による制動用のブレーキパッド１９が同一円周上に三個均等配置されている。
【００１８】
一方、回転フレーム１６は、ベースフレーム１５との重複部分に、固定ディスク１２と向き合って配設される可動ディスク１３が埋め込みボルト（図示せず）等により取り付け固定されている。そして、可動ディスク１３の固定ディスク１２と向き合う面には、図３の図（Ｂ）及び図４の図（Ａ）〜（図（Ｄ）に示す、傾斜した面を有するディスクプレート２０が、前記固定ディスク１２のブレーキパッド１９に対応して同一円周上に三個均等配置されている。
【００１９】
また可動ディスク１３及び回転フレーム１６は、これを前記ベースフレーム１５に取り付けられた回転軸１７に装着するための挿通孔２１及び２２を有している。可動ディスク１３と回転フレーム１６とは、回転軸１７に外嵌装着された後、回転軸１７内に挿通配置された四本の接合ボルト２３に対して接合ナット２４を締結することにより緊締される。このとき接合ナット２４の締付トルクを設定することにより、固定ディスク１２のブレーキパッド１９と、可動ディスク１３のディスクプレート２０との摺動摩擦抵抗の大きさを設定することができ、これらはいわゆる制動力調整機構２５を構成する。尚、前記接合ボルト２３の他端側は、ベースフレーム１５に取り付け固定されている。
【００２０】
更に、回転フレーム１６は、図１及び図２に示すように、ベースフレーム１５との重複部分と、電柱１１との接合部分とを接続する傾斜した部分を有し、該傾斜した部分によって電柱１１との間に隙間（空間）２６が形成されている。この空間２６は、電柱１１を切断するための作業用の空間である。
【００２１】
次に、このように構成された柱状物撤去装置１０の動作態様を説明する。先ず、図１、図５及び図６の図（Ａ）に示すように、柱状物撤去装置１０のベースフレーム１５と回転フレーム１６とを電柱１１の根元部にバンド部材１４を介して固定する。そして、回転フレーム１６を取り付けるための接合ナット２４の締付トルクを、対象となる電柱１１の大きさに応じて設定する。この意味合いについては、後述する。また電柱１１の頂部には、ロープ２７の一端側を係止させておく。
【００２２】
このような状態から、図１及び図６の図（Ｂ）に示すように、電柱１１のベースフレーム１５と回転フレーム１６との間に形成される空間２６に対応した位置で、ハンマーや電動カッター等の切断治具を用いてコンクリート電柱１１を配筋と共に切断する。切断されたコンクリート電柱１１は、切断箇所から上方の本体部１１Ａがそのままの直立した状態で回転フレーム１６に支持されている。
【００２３】
然る後は、図５及び図６の図（Ｃ）に示すように、作業員がロープ２７を引っ張って切断後の電柱本体部１１Ａを徐々に引き倒していく。このとき、可動ディスク１３の傾斜した摺動摩擦面を有するディスクプレート２０が、その傾斜面に沿って固定ディスク１２側のブレーキパッド１９と接触し、電柱本体部１１Ａの傾き度合いに応じて接触摩擦抵抗を増大させるようになる。これにより、電柱本体部１１Ａは、自らの荷重によっては倒れないように制動力調整機構２５によって傾斜したままの姿勢が保持される。従って、電柱本体部１１Ａは、作業員がロープ２７を引っ張って外力を与えた分だけ徐々に傾斜するようになる。そして、傾斜するに連れて固定ディスク１２側のブレーキパッド１９と可動ディスク１３側のディスクプレート２０との接触摩擦抵抗が増大し、傾斜したその姿勢に電柱本体部１１Ａを保持する。このようにして、やがては図５の破線で示すように、電柱本体部１１Ａを水平状態に倒伏させて地上の架台２８上に載置することができる。
【００２４】
そして、最後にベースフレーム１５と回転フレーム１６とを切断後の電柱本体部１１Ａ及び根元部１１Ｂから取外し、電柱本体部１１Ａの部分にあっては、所定寸法に切断するか又は削岩ドリル等で破砕する。また根元部１１Ｂにあっては、地上に出ている部分を切断するか又は削岩ドリル等で破砕すればよい。所定寸法に切断した場合は、これを産業廃棄物処理工場等へ搬出した後、クラッシャー等で破砕し、材料ごとに分別すればよい。更に、新しい電柱を建て替える場合は、根元部１１Ｂを引き抜き、引き抜いた後の孔へ新しい電柱を立設すればよい。
【００２５】
このように、本案の柱状物撤去装置１０は、これを単独で使用しているが、撤去対象物の大きさや重量如何によっては、当該柱状物撤去装置１０を柱状物の左右両サイドに対向して二台設置して柱状物を撤去するようにしてもよい。なお、この場合、可動ディスク１３のディスクプレート２０の傾斜面は、左右両サイドのものが面対象となるように配設することが必要である。つまり、切断後の柱状物本体を傾倒させたとき、その傾斜度合いに応じて制動力調整機構２５の制動力が増大するようにすればよい。
【産業上の利用可能性】
【００２６】
ところで、本発明は上述した実施の形態に限定されるものではなく、適宜の変更が可能である。例えば、ベースフレーム１５及び回転フレーム１６を電柱１１等の柱状物へ取り付ける部材は、バンド部材以外にもワイヤ、ロープなどであってもよく、ボルト及びナットによる締結方式であってもよい。
また柱状物として電柱１１の場合を説明したが、その他にも立木、鯉のぼりの支柱、銅像、各種モニュメントの構築物等のその他の柱状のものへ適用することが可能である。
【図面の簡単な説明】
【００２７】
【図１】本発明の一実施の形態に係る柱状物撤去装置を、電柱へ取り付けた状態を示す左側面図である。
【図２】本発明の一実施の形態に係る柱状物撤去装置を電柱へ取り付け、これを直角に傾倒させた場合を分解して示す平面図である。
【図３】本発明の一実施の形態に係るものであり、図（Ａ）は固定ディスクの正面図及びこれに対応する平面図であり、図（Ｂ）は可動ディスクの正面図及びこれに対応する平面図である。
【図４】本発明の一実施の形態に係るものであり、図（Ａ）〜図（Ｄ）はそれぞれ可動ディスクが所定角度だけ回転した場合の両ディスクの位置関係を示す正面図及びこれに対応する平面図である。
【図５】本発明の一実施の形態に係る柱状物撤去装置を電柱へ取り付け、これを実線で示す状態から段階的に傾倒させた場合を示す正面図である。
【図６】本発明の一実施の形態に係るものであり、図（Ａ）〜図（Ｃ）はそれぞれ作業工程を示す正面図である。
【図７】従来技術に関するものであり、図（Ａ）〜図（Ｆ）はそれぞれ作業工程を示す正面図である。
【符号の説明】
【００２８】
１０…柱状物の撤去装置、１１…電柱（柱状物）、１１Ａ…切断後の電柱本体、１１Ｂ  根元部、１２…固定ディスク、１３…可動ディスク、１４…バンド部材、１５…ベース  フレーム、１６…回転フレーム、１７…回転軸、１９…ブレーキパッド、２０…ディス  クプレート、２３…接合ボルト、２４…接合ナット、２５…制動力調整機構
【図１】
2006063730.tif 000003
【図２】
2006063730.tif 000004
【図３】
2006063730.tif 000005
【図４】
2006063730.tif 000006
【図５】
2006063730.tif 000007
【図６】
2006063730.tif 000008
【図７】
2006063730.tif 000009